Podtech/llm-jp-corpus-v4-ja_patent huggingface dataset:
【誤訳訂正書】
【提出日】平成22年11月30日(2010.11.30)
【誤訳訂正１】
【訂正対象書類名】特許請求の範囲
【訂正対象項目名】全文
【訂正方法】変更
【訂正の内容】
【特許請求の範囲】
【請求項１】
処理工程において使用するための第一ガスを蓄積及び分配し並びに第二ガスを受け取り及び蓄積する方法において、上記方法は、移動可能なガス不浸透性の仕切りによって分けられている第一隔室および第二隔室を有している容器の第一隔室内に第一ガスを蓄積するステップと、容器のガス出口を経由して第一隔室から第一ガスを分配するステップと、第一ガスを要件としている処理工程を実行するための処理装置に対し第一ガスを提供するステップと；上記処理装置からガスを回収するステップと；そして第二ガスの少なくとも一部分を提供するために容器のガス入り口を経由して第二隔室に上記回収したガスの少なくとも一部分を供給するステップであって、それによって、第一隔室に関し第二隔室を拡大するための仕切りの移動によって第二ガスの容積が第一ガスの容積に取って代わり、そして第二ガスを浄化または更なる利用のため第二隔室に蓄積するところのステップとを備えていることを特徴とする方法。
【請求項２】
第二隔室のガスの圧力は、絶対圧０．１０１ＭＰａ（１気圧）以上に維持されていることを特徴とする請求項１に記載の方法。
【請求項３】
第二ガスの少なくとも一部分は、第一ガスの構成成分であることを特徴とする請求項１または２に記載の方法。
【請求項４】
回収されたガスを分析して少なくとも一つの予め決定された基準を満たしているかどうかを決定すること、且つ、第二隔室に供給するものが上記予め決定された基準を満たしている回収されたガスの少なくとも一部分であることを特徴とする請求項１〜３のいずれか一つに記載の方法。
【請求項５】
回収されたガスを、それが分析により特定の構成成分の最低限の含有量を満たしているならば容器の第二隔室に供給し、前記最低限の含有量は容器の第二隔室の圧力に依存することを特徴とする請求項１に記載の方法。
【請求項６】
第二隔室の圧力がその上限に近づいたならば、第二隔室に供給されることになる回収されたガスの特定の構成成分の最低限の含有量は第二隔室の圧力がより低い場合よりも多くなり、それによりその構成成分のための第二隔室の残存容量が増加することを特徴とする請求項１に記載の方法。
【請求項７】
第二隔室の圧力が予め決められたレベルより下に下がった場合に、チェックバルブが開いて更なるガスが、圧力が予め決められたレベルを超えるまで第二隔室に供給されることを特徴とする請求項１に記載の方法。
【請求項８】
第一ガスはキセノン及び酸素のみからなり、第二ガスはキセノンを含むことを特徴とする請求項１〜７のいずれか一つに記載の方法。
【請求項９】
処理装置は、心肺バイパス酸素処理装置または人口呼吸装置であることを特徴とする請求項１〜８のいずれか一つに記載の方法。
【請求項１０】
処理工程において使用するためのガスを蓄積し且つ分配し並びに処理工程から回収されたガスを受け取り且つ蓄積するための装置において、上記装置は、容器であって、その容器は、第一ガスを収容し且つガス出口を有している第一隔室と；第二ガスを収容し且つガス入り口を有している第二隔室と；第一隔室及び第二隔室に分離し且つ第一及び第二隔室の相対的な容積を変更可能にするように移動可能であるところのガス不浸透性の仕切りとを備えている容器と；ガスを要件としている処理工程を実行するための処理装置と；処理装置にガス出口からのガスを供給するための分配導管と；ガス入り口に処理装置から回収されたガスを供給するための回収導管と；第二隔室の中に処理装置からのガスをポンプで押し込むためのポンプ手段と；回収されたガスを分析し且つ上記分析によって決定される少なくとも一つの予め決定された基準を満たしているところの回収されたガスのみを回収導管を通して第二隔室に供給するための手段とを備えていることを特徴とする装置。
【請求項１１】
容器は、ハウジングを第一及び第二隔室に分けているフレキシブルな内側の膜を備える硬質なハウジングを有していることを特徴とする請求項１０に記載の装置。
【請求項１２】
処理装置は心肺バイパス酸素処理装置または人工呼吸器であることを特徴とする請求項１０または１１に記載の装置。
【誤訳訂正２】
【訂正対象書類名】明細書
【訂正対象項目名】００１４
【訂正方法】変更
【訂正の内容】
【００１４】
望ましくは、第二ガスの少なくとも一部分は、それは望ましくは処理装置から回収されたガスを含み、第一ガスの構成成分であり、第一ガスは処理装置の処理工程を通過してきている。
回収されたガスは、回収されたガスが少なくとも一つの予め決定され分析された基準、望ましくは特定の構成成分の最低限の含有量、を満足するならば、それが容器の第二隔室に供給されるように、適当な分析装置を使用して分析することができる。さもなければ、それは大気中に排出されるか、或いは、代わりに、処理装置を通って再利用される。
代わって、回収されたガスは、例えば最低限の含有量の特定構成成分が存在する場合且つ最低限の含有量の設定が容器の第二隔室の圧力に依存している場合のように、予め決定された基準を組み合わせでもって満足するならば、容器の第二隔室に供給される。例えば、第二隔室における圧力がその上限値に接近したならば、第二隔室中に供給されることになる回収されたガスの特定の構成成分の最低限の含有量は、第二隔室の圧力が低いときよりも多くなり、そして第二隔室はそれゆえにより大きな残存容量を有している。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
装置内で精製を行う不飽和化合物の精製方法であって、
当該装置が少なくとも２つの蒸発器を有し、かつこれらの蒸発器は前記不飽和化合物の一部が１つの循環に送られるように接続されており、この際に第一の蒸発器で凝縮された蒸発物が単離され、かつ第二の蒸発器で凝縮された蒸発物が第一の蒸発器に導入される、精製方法において、
凝縮された蒸発物を第一の蒸発器で精製すべき混合物から単離する質量流量が、凝縮された蒸発物を第二の蒸発器から第一の蒸発器に導入する質量流量よりも少ないことを特徴とする、精製方法。
【請求項２】
前記不飽和化合物がグリコールエステルであることを特徴とする、請求項１に記載の方法。
【請求項３】
前記グリコールエステルがヒドロキシアルキル（メタ）アクリラートであることを特徴とする、請求項２に記載の方法。
【請求項４】
第一の蒸発器で凝縮された蒸発物を精製すべき混合物から単離する質量流量対、凝縮された蒸発物を第二の蒸発器から第一の蒸発器に導入する質量流量の比が、０．４〜１．５の範囲にあることを特徴とする、請求項１から３までのいずれか１項に記載の方法。
【請求項５】
第一の蒸発器で凝縮された蒸発物を精製すべき混合物から単離する質量流量対、凝縮された蒸発物を第二の蒸発器から第一の蒸発器に導入する質量流量の比が、０．５〜０．８の範囲にあることを特徴とする、請求項４に記載の方法。
【請求項６】
前記装置が少なくとも３つの蒸発器を有し、この際に第一と第二の蒸発器との間に１つの循環が、かつ第二と第三の蒸発器の間に１つの循環が形成されることを特徴とする、請求項１から５までのいずれか１項に記載の方法。
【請求項７】
第二の蒸発器から凝縮された蒸発物を第一の蒸発器に導入する質量流量対、第三の蒸発器の凝縮された蒸発物を第二の蒸発器に導入する質量流量の比が、０．７５〜３５の範囲にあることを特徴とする、請求項６に記載の方法。
【請求項８】
精製すべき混合物の少なくとも一部を、まず第一の蒸発器に導入することを特徴とする、請求項１から７までのいずれか１項に記載の方法。
【請求項９】
精製すべき混合物の少なくとも一部を、まず第二の蒸発器に導入することを特徴とする、請求項１から８までのいずれか１項に記載の方法。
【請求項１０】
精製すべき混合物の少なくとも一部を、まず第一の蒸発器に導入し、かつ精製すべき混合物のさらなる一部を、まず第二の蒸発器に導入することを特徴とする、請求項８又は９に記載の方法。
【請求項１１】
第一の蒸発器に導入される精製すべき混合物の一部対、第二の蒸発器に導入される精製すべき混合物の一部の量比が、９：１〜０．１：１であることを特徴とする、請求項１０に記載の方法。
【請求項１２】
第一の蒸発器が、循環式蒸発器であることを特徴とする、請求項１から１１までのいずれか１項に記載の方法。
【請求項１３】
第二の蒸発器が循環式蒸発器であることを特徴とする、請求項１から１２までのいずれか１項に記載の方法。
【請求項１４】
第一の、及び／又は第二の蒸発器が、強制循環式蒸発器であることを特徴とする、請求項１から１３までのいずれか１項に記載の方法。
【請求項１５】
第一の、及び／又は第二の蒸発器が、自然循環式蒸発器であることを特徴とする、請求項１から１４までのいずれか１項に記載の方法。
【請求項１６】
第三の蒸発器が、薄膜式蒸発器であることを特徴とする、請求項１から１５までのいずれか１項に記載の方法。
【請求項１７】
出発原料が０．１ｍｂａｒ〜２０ｍｂａｒの範囲の圧力で気相に移送されることを特徴とする、請求項１から１６までのいずれか１項に記載の方法。
【請求項１８】
前記不飽和化合物が、４０〜１２０℃の範囲の温度で気相に移送されることを特徴とする、請求項１から１７までのいずれか１項に記載の方法。
【請求項１９】
ガス負荷係数が、０．８〜３．０Ｐａ0.5の範囲にあることを特徴とする、請求項１８に記載の方法。
【請求項２０】
請求項１から１９までのいずれか１項に記載の方法を実施するための装置であって、
当該装置が少なくとも３つの蒸発器を有し、液相に残る第一の蒸発器の残留物を、第二の蒸発器に誘導することができ、第二の蒸発器の凝縮された蒸発物を第一の蒸発器に、及び第二の蒸発器の液相に残る残留物を第三の蒸発器に誘導することができ、かつ第三の蒸発器の凝縮された蒸発物を、第二の蒸発器に誘導することができるように、これらの蒸発器が相互に接続されていることを特徴とする、装置。
【請求項２１】
前記装置が、少なくとも２つの循環式蒸発器、及び１つの薄膜式蒸発器を有することを特徴とする、請求項２０に記載の装置。
【請求項２２】
前記装置が、少なくとも３つの塔を有することを特徴とする、請求項２０又は２１に記載の装置。
【請求項２３】
前記塔が、Ｆ係数０．８〜３．０Ｐａ0.5の範囲、好適には１．５〜２．０Ｐａ0.5の範囲で、０．５〜１０Ｐａ0.5の範囲、好適には１〜５ｍｂａｒの範囲の圧力低下を有することを特徴とする、請求項２１に記載の装置。
【請求項２４】
前記塔が、ミストセパレータ（デミスタ）を有することを特徴とする、請求項２１又は２２に記載の装置。
【請求項２５】
請求項１から１９までのいずれか１項に記載の方法により得られる、不飽和化合物。
【請求項２６】
前記化合物が、ヒドロキシアルキル（メタ）アクリラートであることを特徴とする、請求項２５に記載の化合物。
【請求項２７】
前記化合物が、２−ヒドロキシエチル（メタ）アクリラートであることを特徴とする、請求項２５に記載の化合物。
【請求項２８】
前記化合物が、ヒドロキシプロピル（メタ）アクリラートであることを特徴とする、請求項２５に記載の化合物。
【請求項２９】
前記化合物が、ヒドロキシブチル（メタ）アクリラートであることを特徴とする、請求項２５に記載の化合物。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
タウロパシーの診断、緩和、治療及び／又は予防のための薬剤を製造するためのＭｎｋ１及び／又はＭｎｋ２キナーゼのモジュレータの使用。
【請求項２】
モジュレータがインヒビターである、請求項１に記載の使用。
【請求項３】
モジュレータが、チエノピリミジン、ピラゾロピリミジン又はピロロピリミジン化合物又はその製薬学的に認容性の塩である、請求項１または２に記載の使用。
【請求項４】
インヒビターが、ＥＤＪ１０１４０１化合物又はその製薬学的に認容性の塩である、請求項１から３までのいずれか１項に記載の使用。
【請求項５】
インヒビターが、ＥＤＪ１００８６９化合物又はその製薬学的に認容性の塩である、請求項１から３までのいずれか１項に記載の使用。
【請求項６】
タウロパシーが、アルツハイマー氏病、クロイツフェルトヤコブ病、拳闘家痴呆、ダウン症候群、ゲルストマン−ストロイスラー−シャインカー病、封入体性筋炎、プリオンタンパク質大脳アミロイド血管障害から成る群から選択される、請求項１から５までのいずれか１項に記載の使用。
【請求項７】
タウロパシーが、前頭側頭型痴呆（ＦＴＤ）、第１７染色体に関連するパーキンソン症を伴う前頭側頭型痴呆（ＦＴＤＴ−１７）、ピック病、もつれ優勢型アルツハイマー氏病、皮質基底核変性、筋萎縮性側索硬化症／パーキンソン症痴呆症候群、好銀性顆粒痴呆、石灰沈着を伴うび慢性神経原繊維変性、ハラーホルデンスパッツ病、多発性統萎縮症、ニーマンピッグ病Ｃ型、進行性皮質下部神経膠症、進行性核上性麻痺及び亜急性硬化性全脳炎から成る群から選択される、請求項１から５のいずれか１項に記載の使用。
【請求項８】
タウロパシーがアルツハイマー氏病である、請求項１から７までのいずれか１項に記載の使用。
【請求項９】
薬剤が診断薬である、請求項１から８までのいずれか１項に記載の使用。
【請求項１０】
薬剤が治療薬である、請求項１から８までのいずれか１項に記載の使用。
【請求項１１】
単一治療のための薬剤を製造するための、請求項１から１０までのいずれか１項に記載の使用。
【請求項１２】
併用治療のための薬剤を製造するための、請求項１から１０までのいずれか１項に記載の使用。
【請求項１３】
タウロパシーの緩和、治療及び／又は予防のために適した少なくとも１種の他の薬剤と組合せての請求項１２に記載の使用。
【請求項１４】
アルツハイマー氏病の緩和、治療及び／又は予防のために適した少なくとも１種の他の薬剤と組み合わせての請求項１２に記載の使用。
【請求項１５】
他の薬剤がＮＭＤＡアンタゴニスト又はアセチルコリンエステラーゼインヒビターである、請求項１４に記載の使用。
【請求項１６】
ＮＭＤＡアンタゴニストがメマンチンであり、かつアセチルコリンエステラーゼインヒビターがドネペジル、リバスチグミン及びガランタミンから選択される、請求項１５に記載の使用。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
下記一般式（Ｉ）を有する、マンゴー配糖体カルシウム：
【化１】
2011504470.tif 000001
（式中、ｎは１又は２であり、ｍは１又は２である）。
【請求項２】
ｎが２であり、ｍが１である場合、下記一般式（ＩＩ）を有する、請求項１に記載のマンゴー配糖体カルシウム：
【化２】
2011504470.tif 000002
（式中、Ｒ１、Ｒ２、Ｒ３及びＲ４の基のいずれか一つは酸素イオンであり、その他の基は水酸基である）。
【請求項３】
下記式を有する、請求項２に記載のマンゴー配糖体カルシウム:
【化３】
2011504470.tif 000003
【請求項４】
以下の特徴を有する、請求項３に記載のマンゴー配糖体カルシウムの製造方法：
（１）マンゴー配糖体をアルカリ性ナトリウム（又は、カリウム）に反応させてマンゴー配糖体モノナトリウム（又は、モノカリウム）を生成する、
（２）マンゴー配糖体モノナトリウム（又は、モノカリウム）を水溶性カルシウム塩に反応させてマンゴー配糖体カルシウムを生成する。
【請求項５】
マンゴー配糖体及びアルカリ性ナトリウム（又は、カリウム）のモル比が１：０．５−１であることを特徴とする、請求項４に記載のマンゴー配糖体カルシウムの製造方法。
【請求項６】
マンゴー配糖体モノナトリウム（又は、モノカリウム）及び水溶性カルシウム塩のモル比が１：０．５であることを特徴とする、請求項４に記載のマンゴー配糖体カルシウムの製造方法。
【請求項７】
アルカリ性ナトリウム（又は、カリウム）が、炭酸ナトリウム、重炭酸ナトリウム、炭酸カリウム、重炭酸カリウム、酢酸ナトリウム及び酢酸カリウムのうちの単一の塩又は混合物であることを特徴とする、請求項４に記載のマンゴー配糖体カルシウムの製造方法。
【請求項８】
水溶性カルシウム塩が、塩化カルシウム、グルコン酸カルシウム、乳酸カルシウム、吉草酸カルシウム、グリセロリン酸カルシウム及びヨウ化カルシウムのうちの単一の塩又は混合物であることを特徴とする、請求項４に記載のマンゴー配糖体カルシウムの製造方法。
【請求項９】
請求項１に記載のマンゴー配糖体カルシウムの有効量と薬理学的に許容される補助材とを含有する、医薬組成物。
【請求項１０】
請求項３に記載のマンゴー配糖体カルシウムの有効量と薬理学的に許容される補助材とを含有する、医薬組成物。
【請求項１１】
剤形が、錠剤、カプセル剤、軟カプセル剤、顆粒剤、丸剤、内用液剤、内用懸濁剤、ゲル剤及び注射用粉末剤とすることができる、請求項９又は１０に記載の医薬組成物。
【請求項１２】
インスリン抵抗性改善剤として用いられる、請求項１に記載のマンゴー配糖体カルシウムの使用。
【請求項１３】
インスリン抵抗性改善剤として用いられる、請求項３に記載のマンゴー配糖体カルシウムの使用。
【請求項１４】
インスリン抵抗性改善剤が血糖降下薬としても用いることができる、請求項１２又は１３に記載の使用。
【請求項１５】
インスリン抵抗性改善剤が脂質降下薬としても用いることができる、請求項１２又は１３に記載の使用。
【請求項１６】
インスリン抵抗性改善剤が２型糖尿病及び糖尿病の慢性合併症の予防及び治療のためにも用いることができる、請求項１２又は１３に記載の使用。
【請求項１７】
糖尿病の慢性合併症が、糖尿病性大血管障害、糖尿病性微小血管障害、糖尿病性神経障害、糖尿病足病変、糖尿病性黄斑症、糖尿病性白内障、糖尿病性緑内障、屈折変化、又は虹彩毛様体病変を示すことを特徴とする、請求項１６に記載の使用。
【請求項１８】
脂質降下薬としてのマンゴー配糖体カルシウムが高脂血症の予防及び治療のために用いることができる、請求項１５に記載の使用。
【請求項１９】
インスリン抵抗性改善剤として用いられる、請求項９又は１０に記載の医薬組成物の使用。
【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
Ａ層が熱可塑性材であり、Ｂ層が安定な潜在反応性接着剤から製造される層であり、Ｃ層が熱可塑性材である、Ａ層、Ｂ層およびＣ層を含む確認証。
【請求項２】
以下の工程（ｉ）〜（ｉｖ）を包含する、請求項１に記載の確認証の製造方法：
（ｉ）      水に懸濁した表面が不活性化されたポリイソシアネートと、イソシアネート反応性ポリマーを含む実質的に水性の分散体または溶液とを混合する工程；
（ｉｉ）    工程（ｉ）で調製した混合物をＣ層に塗布する工程；
（ｉｉｉ）  ジイソシアネートまたはポリイソシアネートの反応温度未満の温度で、工程（ｉ）で調製した混合物から水を除去して、Ｂ層を形成する工程;
（ｉｖ）    工程（ｉｉｉ）で調製したＢ層に、Ｃ層を適用する工程。
【請求項３】
安定な潜在反応性接着剤の確認証の製造における使用。
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
核酸、及び
α-1,4-グルコシド結合と少なくとも１つのα-1,6-グルコシド結合から形成される内分岐環状構造部分を有し、外分岐構造部分が内分岐環状構造部分に結合している、重合度5〜5000のグルカンである、高度分岐環状デキストリン
を含有する、核酸複合体。
【請求項２】
核酸１重量部当たり、高度分岐環状デキストリンが1〜4000重量部である、請求項１に記載の核酸複合体。
【請求項３】
核酸が、siRNAである、請求項１又は２に記載の核酸複合体。
【請求項４】
核酸と、高度分岐環状デキストリンを水溶液中で混合することにより得られる凝集物である、請求項１乃至３のいずれかに記載の核酸複合体。
【請求項５】
請求項１乃至４のいずれかに記載の核酸複合体、及び核酸送達用キャリアーを含有する、核酸送達用組成物。
【請求項６】
核酸送達用キャリアーが、(A)ジアシルホスファチジルコリン、(B)コレステロール及びコレステロール骨格を有するカチオン性脂質よりなる群から選択される少なくとも１種、及び(C)脂肪族第１級アミンを含有する組成物である、請求項５に記載の核酸送達用組成物。
【請求項７】
核酸送達用キャリアーに含まれる(A)成分が、アシル基部分の炭素数が４〜２３のジアシルホスファチジルコリンである、請求項６に記載の核酸送達用組成物。
【請求項８】
核酸送達用キャリアーに含まれる(B)成分が、コレステロールである、請求項６に記載の核酸送達用組成物。
【請求項９】
核酸送達用キャリアーに含まれる(C)成分が、炭素数が１０〜２０のアルキルアミンである、請求項６に記載の核酸送達用組成物。
【請求項１０】
核酸送達用キャリアーにおける(A)成分：(B)成分：(C)成分のモル比が、５〜９：１〜５：１である、請求項６に記載の核酸送達用組成物。
【請求項１１】
核酸送達用キャリアーが、(A)〜(C)成分によりリポソーム膜が形成されたリポソーム製剤である、請求項６に記載の核酸送達用組成物。
【請求項１２】
請求項５乃至１１のいずれかに記載の核酸送達用組成物を含む、医薬組成物。
【請求項１３】
細胞内に核酸を送達する医薬の製造のための、請求項５乃至１１のいずれかに記載の核酸送達用組成物の使用。
【請求項１４】
細胞内への核酸送達用の、請求項５乃至１１のいずれかに記載の核酸送達用組成物。
【手続補正書】
【提出日】平成23年10月13日(2011.10.13)
【手続補正１】
【補正対象書類名】明細書
【補正対象項目名】０００３
【補正方法】変更
【補正の内容】
【０００３】
ゼオライトは、結晶構造のなかで主要な位置を占めている。過去４０年間にわたって合成されたゼオライトのうち、一定数の固体によって、吸着および触媒の分野は著しく進歩し得た。挙げることができるこれらの例は、Ｙゼオライト（特許文献１）およびＺＳＭ−５ゼオライト（特許文献２）である。毎年合成される新規なモレキュラーシーブ（ゼオライトを含む）の数は増え続けている。発見された様々なモレキュラーシーブのより完全な説明は、非特許文献１を参照することにより得られ得る。下記を挙げることができる：ＮＵ−８７ゼオライト（特許文献３）、ＭＣＭ−２２ゼオライト（特許文献４）もしくは構造型ＣＬＯを有するガロリン酸塩（クロベライト（cloverite））（特許文献５）または下記のゼオライト：ＩＴＱ−１２（特許文献６）、ＩＴＱ−１３（特許文献７）、ＣＩＴ−５（特許文献８）、ＩＴＱ−２１（特許文献９）、ＩＴＱ−２２（非特許文献２）、ＳＳＺ−５３（非特許文献３）、ＳＳＺ−５９（非特許文献３）、ＳＳＺ−５８（非特許文献４）およびＵＺＭ−５（非特許文献５）。
【手続補正２】
【補正対象書類名】明細書
【補正対象項目名】００２０
【補正方法】変更
【補正の内容】
【００２０】
本発明の方法では、Ｒは、少なくとも１個の第４級窒素原子を含む窒素含有有機種であり、好ましくは、Ｒは、有機テンプレートとして作用する２個の第４級窒素原子を含む。好ましくは、Ｒは、窒素含有化合物１，５−ビス（メチルピペリジニウム）ペンタンである。本発明のＩＺＭ−３結晶固体を合成するための有機種テンプレート中に存在する第４級アンモニウムカチオンに随伴するアニオンは、アセタートアニオン、スルファートアニオン、カルボキシラートアニオン、テトラフルオロボラートアニオン、フルオリド、クロリド、ブロミド、ヨージドなどのハリドアニオン、ヒドロキシドアニオンおよびこれら複数の組合せから選択される。好ましくは、ＩＺＭ−３結晶固体を合成するためのテンプレート種中に存在する第４級アンモニウムカチオンに随伴するアニオンは、ヒドロキシドアニオンおよびブロミドアニオンから選択され、より好ましくは、これはヒドロキシドイオンである。ＩＺＭ−３結晶固体のためのテンプレートとして使用される前記窒素含有有機種は、当業者に知られている任意の方法を使用して合成される。二臭化１，５−ビス（メチルピペリジニウム）ペンタンを合成するために、１モルの１，５−ジブロモペンタンは、少なくとも２モルのＮ−メチルピペリジンとエタノール中で混合される。一般的に、混合物は１〜１０時間の範囲の期間にわたって還流加熱される。ろ過、ジエチルエーテルなどのエーテル系溶媒を使用した沈殿、次いで、エタノール／エーテル混合物からの再結晶の後に、二臭化１，５−ビス（メチルピペリジニウム）ペンタンが得られる。二臭化１，５−ビス（メチルピペリジニウム）ペンタンは、好ましくは、周囲温度で、酸化銀（Ａｇ２Ｏ）を用いて二臭化１，５−ビス（メチルピペリジニウム）ペンタンの水溶液を処理することによって得られる。
【手続補正書】
【提出日】平成23年10月20日(2011.10.20)
【手続補正１】
【補正対象書類名】特許請求の範囲
【補正対象項目名】請求項６
【補正方法】変更
【補正の内容】
【請求項６】
水素タングステンブロンズまたは水素タングステンブロンズ組成物、特に請求項１に定義される組成物の製造のための方法であって、タングステン酸アンモニウムを水素および／または水素放出ガスに２５００Ｋ以上の温度で接触させるステップを含む前記方法。
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
欠損Ｆ２Ｌ遺伝子を含むポックスウイルスを含み、増殖性疾患または破骨細胞活性の増加に関連する疾患を治療するための、医薬組成物。
【請求項２】
増殖性疾患が癌または再狭窄である、請求項１に記載の医薬組成物。
【請求項３】
破骨細胞活性の増加に関連する疾患が、関節リウマチまたは骨粗しょう症である、請求項１に記載の医薬組成物。
【請求項４】
前記ポックスウイルスが、欠損Ｊ２Ｒ遺伝子を更に含んでなる、請求項１〜３のいずれか一項に記載の医薬組成物。
【請求項５】
前記ポックスウイルスが、チョルドポックスウイルス亜科に属するものである、請求項１〜４のいずれか一項に記載の医薬組成物。
【請求項６】
前記ポックスウイルスが、ワクシニアウイルス種に属するものである、請求項５に記載の医薬組成物。
【請求項７】
前記ポックスウイルスが、ワクシニアウイルス株コペンハーゲンである、請求項６に記載の医薬組成物。
【請求項８】
前記ポックスウイルスが、ワクシニアウイルス株ＷＲである、請求項６に記載の医薬組成物。
【請求項９】
前記ポックスウイルスが、自殺遺伝子を更に含んでなる、請求項１〜８のいずれか一項に記載の医薬組成物。
【請求項１０】
前記自殺遺伝子が、少なくともシトシンデアミナーゼ活性を有するタンパク質をコードするものである、請求項９に記載の医薬組成物。
【請求項１１】
前記自殺遺伝子が、少なくともウラシルホスホリボシルトランスフェラーゼ活性を有するタンパク質をコードするものである、請求項９に記載の医薬組成物。
【請求項１２】
前記自殺遺伝子が、ＦＣＹ１、ＦＣＡ１、もしくはＣｏｄＡ、またはそれらの類似体である、請求項１０に記載の医薬組成物。
【請求項１３】
少なくともシトシンデアミナーゼ活性を有する前記タンパク質が、配列番号２に表されているＦＣＵ１−８ポリペプチドおよびその類似体である、請求項１０に記載の医薬組成物。
【請求項１４】
前記自殺遺伝子が、少なくとも一つのシトシンデアミナーゼ活性と、一つのウラシルホスホリボシルトランスフェラーゼ活性とを有するタンパク質をコードするものである、請求項１０または１１に記載の医薬組成物。
【請求項１５】
前記自殺遺伝子が、配列番号３（ｃｏｄａ：：ｕｐｐ）、配列番号１（ＦＣＵ１）、またはＦＣＹ１：：ＦＵＲ１のアミノ酸配列に表されるアミノ酸配列を実質的に含んでなるポリペプチドをコードするものである、請求項１４に記載の医薬組成物。
【請求項１６】
前記ポックスウイルスが、パーミアーゼをコードする遺伝子を含んでなる核酸配列を更に含んでなる、請求項１〜１５のいずれか一項に記載の医薬組成物。
【請求項１７】
パーミアーゼが、Ｓ．セレビシエのプリンパーミアーゼまたはシトシンパーミアーゼである、請求項１６に記載の医薬組成物。
【請求項１８】
パーミアーゼが、ＦＣＹ２およびＦｕｒ４ならびにそれらの類似体を含んでなる群から選択されるものである、請求項１７に記載の医薬組成物。
【請求項１９】
前記ポックスウイルスが、前記自殺遺伝子の発現に必要なエレメントを更に含んでなる、請求項９〜１５のいずれか一項に記載の医薬組成物。
【請求項２０】
前記ポックスウイルスが、パーミアーゼの発現に必要なエレメントを更に含んでなる、請求項１６〜１８のいずれか一項に記載の医薬組成物。
【請求項２１】
薬学上許容される賦形剤を含んでなる、請求項１〜２０のいずれか一項に記載の医薬組成物。
【請求項２２】
全身経路により投与されるものである、請求項１〜２１のいずれか一項に記載の医薬組成物。
【請求項２３】
薬学上許容される量のプロドラッグがさらに投与される、請求項１〜２２のいずれか一項に記載の医薬組成物。
【請求項２４】
前記プロドラッグが、前記ポックスウイルス投与の少なくとも３日後に投与されるものである、請求項２３に記載の医薬組成物。
【請求項２５】
前記プロドラッグが、前記ポックスウイルスの投与の７日後に投与されるものである、請求項２３に記載の医薬組成物。
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
アミノ酸シークエンスＫＦＥＫＫＦＥＫと本質的に同一の配列をもち、および約１０ｍＭよりも少ないＩＣ５０をもつ精製されたペプチド。
【請求項２】
約５ｍＭよりも少ないＩＣ５０をもつ、請求項１に記載のペプチド。
【請求項３】
１および２つの間の残基はＲまたはＦで置換される、請求項１に記載のペプチド。
【請求項４】
１および３つの間の残基は、Ｖ、Ａ、Ｌ、ＭまたはＩで置換される、請求項１に記載のペプチド。
【請求項５】
１つの残基はＲまたはＦで置換され、規定されるようなアミノ酸配列において２から３までの置換の合計が存在する、請求項４に記載のペプチド。
【請求項６】
次の欄１において挙げるような１および３つの間のアミノ酸は、以下の表の欄２において挙げるアミノ酸で置換され、１から３つまでの置換の合計が存在する、請求項１に記載のペプチド。
【表１】
2011504165.tif 000001
【請求項７】
Ｄアミノ酸を含む、請求項１に記載のペプチド。
【請求項８】
調節基に連結される、請求項１に記載のペプチド。
【請求項９】
配列はＫＦＥＫＫＦＥＫである、請求項１に記載のペプチド。
【請求項１０】
２つの隣接する荷電アミノ酸をもつ、請求項１に記載のペプチド。
【請求項１１】
Ｙ、ＦおよびＷから選ばれる少なくとも１種の残基をもつ、請求項１に記載のペプチド。
【請求項１２】
請求項１に記載のペプチドを含む、局所的な、経口または注入可能な調剤物。
【請求項１３】
配列はＫＦＥＫＫＦＥＫである、請求項１２に記載の調剤物。
【請求項１４】
二次的処理薬剤およびＹＲＳＲＫＹＳＳＷＹおよびＫＦＥＫＫＦＥＫからなる群より選ばれる配列と本質的に同一のペプチドを含む、皮膚科学的に許容可能な調剤物。
【請求項１５】
ペプチドは少なくとも２つの隣接する荷電アミノ酸をもつ、請求項１４に記載の調剤物。
【請求項１６】
１から３までのアミノ酸置換が規定された配列において含まれ、置換はＦまたはＲにおいてなく、置換は、（ｉ）ＦまたはＲへの変化、および（ｉｉ）Ｖ、Ａ、Ｌ、Ｍ、Ｉへの変化の１から３つまでの変化から選ばれる、請求項１４に記載の調剤物。
【請求項１７】
ペプチドは約２倍のＩＣ５０濃度よりも少ない濃度である、請求項１４に記載の調剤物。
【請求項１８】
ペプチドは２から１００倍までのＩＣ５０濃度の濃度である、請求項１４に記載の調剤物。
【請求項１９】
ＨＱが実質含まれない、請求項１４に記載の調剤物。
【請求項２０】
二次的処理薬剤は、請求項１４内の２種の異なる構造をもつ２つのペプチドが存在するようなペプチドである、請求項１４に記載の調剤物。
【請求項２１】
さらに、水和性調剤物、抗酸化物質調剤物、およびフリーラジカルスカベンジャー（遊離基消去剤）から選ばれる物質を含む、請求項１４に記載の調剤物。
【請求項２２】
ペプチドはリポソームに含有される、請求項１４に記載の調剤物。
【請求項２３】
（ａ）ＫＦＥＫＫＦＥＫまたは（ｂ）ＹＲＳＲＫＹＳＳＷＹの１種と本質的に同一であるペプチドの、皮膚色素沈着軽減用組成物の製造における使用。
【請求項２４】
請求項２３に記載のペプチドの使用によって得られる皮膚色素沈着軽減用組成物であって、ペプチドはＹＲＳＲＫＹＳＳＷＹの配列をもつ、組成物。
【請求項２５】
ペプチドＹＲＳＲＫＹＳＷＳＷＹは、１および３つの間の置換を、残基がＲまたはＫに変化し、またはＶ、Ａ、Ｌ、ＭまたはＩの１つに変化するのにしたがってもつ、請求項２４に記載の組成物。
【請求項２６】
請求項２３に記載のペプチドの使用によって得られる皮膚色素沈着軽減用組成物であって、組成物は、局所、経口または注入可能な調製物として投与されるものである、組成物。
【請求項２７】
投与には、二次的処理生産物とともに投与されることが含まれるものである、請求項２６に記載の組成物。
【請求項２８】
投与には、マイクロ皮膚切除プロセスと併用する投与が含まれるものである、請求項２６に記載の組成物。
【請求項２９】
投与がマイクロ皮膚切除プロセスを伴い同時のものである、請求項２６に記載の組成物。
【請求項３０】
投与が放射プロセスとの併用のものである、請求項２６に記載の組成物。
【請求項３１】
投与が、剥離装置、マイクロニードル、エレクトロポレーション装置、またはイオントフォレーシス装置によって遂行する物理的処置との併用のものである、請求項２６に記載の組成物。
【請求項３２】
約１０ｍＭよりも少ないチロシナーゼのＩＣ５０をもち、およびＹＲペプチドまたはＫＦペプチドのいずれかの配列をもつペプチドおよびその配列と本質的に同一の配列からなる群より選ばれる精製されたペプチド、皮膚科学的に許容可能な担体、二次的処理生成物、および使用のための指示を含む、皮膚ホワイトニング手順を遂行するためのキット。
【請求項３３】
ペプチドおよび担体は予備的組合せがされる、請求項３２に記載のキット。
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
画像を形成するための放射線誘起熱転写プロセス中でドナー要素を使用する方法において、
ドナー要素およびレシーバー要素の集合体を提供するステップであって、ドナー要素が、
支持層および、
一方の面が支持層に隣接して配置され、もう他方の面がレシーバー要素に隣接して配置されている転写層、
を含むステップと；
集合体を放射線に対し像様露光し、それにより像様露光された転写層の少なくとも一部分がレシーバー要素に転写されて、転写された層を形成するステップと；
レシーバー要素からドナー要素を分離し、それによりレシーバー要素上に画像を現出させるステップと；
を含む方法において、
露光ステップの後および分離ステップの前に、支持層とレシーバー要素の間に相対的移動を提供することによって集合体を処理するステップを含む方法。
【請求項２】
処理ステップが、支持層に対し実質的に平行な方向に沿ってレシーバー要素を基準に第１の位置から第２の位置まで支持層の位置を移動させることによって実施される、請求項１に記載の方法。
【請求項３】
処理ステップが、レシーバー要素を基準に第１の位置から第２の位置までレシーバー要素から離れる方向に沿って支持層の位置を移動させ、次いで、レシーバー要素を基準に第２の位置から第３の位置までレシーバー要素に向かう方向に沿って支持層の位置を移動させることによって実施される、請求項１に記載の方法。
【請求項４】
請求項１に記載の方法により作製されたカラーフィルタ。
【手続補正２】
【補正対象書類名】明細書
【補正対象項目名】０２８２
【補正方法】変更
【補正の内容】
【０２８２】
マクロ品質を、接着剤処理を受けた画像形成されたレシーバーの部域（集合体を横断して一定角度で重複する粘着テープの２層を有する比較的薄いバンドおよび、ローラーがより厚みを有するものであり各回転毎に接触することになった部域）と、接着剤処理を受けなかった部域（集合体より上に上昇した状態に残された単一巻回部域）について比較した。接着剤処理を受けた部域は、明らかに目に見えており、ローラー上の両面テープの螺旋巻回パターンを追従していた。らせん接着剤の巻回を用いた処理を受けた画像形成されたレシーバーの部分は８と評定され、一貫して強い赤色部域が最小限にしか見られなかったが、一方接着剤処理を全く受けなかった部分は１と評定され（１＝不良、１０＝優良）、一貫して強い赤色が見られた。
本発明は以下の実施の態様を含むものである。
１．  画像を形成するための放射線誘起熱転写プロセス中でドナー要素を使用する方法において、
ドナー要素およびレシーバー要素の集合体を提供するステップであって、ドナー要素が、
支持層および、
一方の面が支持層に隣接して配置され、もう他方の面がレシーバー要素に隣接して配置されている転写層、
を含むステップと；
集合体を放射線に対し像様露光し、それにより像様露光された転写層の少なくとも一部分がレシーバー要素に転写されて、転写された層を形成するステップと；
レシーバー要素からドナー要素を分離し、それによりレシーバー要素上に画像を現出させるステップと；
を含む方法において、
露光ステップの後および分離ステップの前に、支持層とレシーバー要素の間に相対的移動を提供することによって集合体を処理するステップを含む方法。
２．処理ステップが、支持層に対し実質的に平行な方向に沿ってレシーバー要素を基準に第１の位置から第２の位置まで支持層の位置を移動させることによって実施される、前記１．に記載の方法。
３．移動ステップが、転写層の一方の面と反対側にある支持層の表面を、接着表面、コンプライアント表面またはその組合せからなる群から選択される処理表面と接触させることによって実施される、前記２．に記載の方法。
４．接触ステップが、処理表面を上に有するローラーを支持層上で移動させることによって実施される、前記３．に記載の方法。
５．制動機構と駆動機構からなる群から選択されるテンショニング装置をローラーが含んでいる、前記４．に記載の方法。
６．ローラーが、支持層に対し１メートルあたり５ニュートン超の面内せん断荷重を加える、前記５．に記載の方法。
７．分離ステップが始まる少なくとも０．１秒前に処理ステップが完了する、前記１．に記載の方法。
８．分離ステップが始まる少なくとも３秒前に処理ステップが完了する、前記１．に記載の方法。
９．分離ステップが始まる少なくとも１５秒前に処理ステップが完了する、前記１．に記載の方法。
１０．レシーバー要素が、有色透明材料と接触する不透明マトリクスと接触する無色透明材料を含む、１．に記載の方法。
１１．露光ステップの完了時点で転写された層が、転写層から形成されたコネクタによって、転写層に連結され、
−  さらに、処理ステップがコネクタを破断して、転写層に連結されたドナー要素フラップおよび転写された層に連結されたレシーバー要素フラップのうちの少なくとも１つを提供する、前記１．に記載の方法。
１２．レシーバー要素フラップの体積がドナー要素フラップよりも小さい、前記１１．に記載の方法。
１３．処理が、集合体の異なる部域について異なる時間に実施され、
集合体の少なくとも１つの処理された部域および少なくとも１つの処理すべき部域が存在する時点で、処理された部域内に、処理すべき全ての部域から少なくとも１ｃｍ離隔した未分離部域が存在する、前記１．に記載の方法。
１４．未分離部域が、処理すべき全ての部域から少なくとも３ｃｍ離隔している、前記１３．に記載の方法。
１５．未分離部域が、処理すべき全ての部域から少なくとも１０ｃｍ離隔している、前記１３.に記載の方法。
１６．処理ステップが、レシーバー要素を基準に第１の位置から第２の位置までレシーバー要素から離れる方向に沿って支持層の位置を移動させ、次いで、レシーバー要素を基準に第２の位置から第３の位置までレシーバー要素に向かう方向に沿って支持層の位置を移動させることによって実施される、前記１．に記載の方法。
１７．処理ステップが、レシーバー要素を基準に第１の位置から第２の位置までレシーバー要素に向かう方向に沿って支持層の位置を移動させ、次いで、レシーバー要素を基準に第２の位置から第３の位置までレシーバー要素から離れる方向に沿って支持層の位置を移動させることによって実施される、前記１．に記載の方法。
１８．前記１．に記載の方法により作製されたカラーフィルタ。
１９．前記１６．に記載の方法により作製されたカラーフィルタ。
２０．前記１７．に記載の方法により作製されたカラーフィルタ。
【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
一般式Ｉａ及び／又はＩｂ
【化１】
2011504292.tif 000001
［式中、
Ｒ1〜Ｒ16基の１〜１２個は、それぞれハロゲンであり、その他は、それぞれ水素であり、かつ
式Ｉｂ中のＭは、二価の金属、二価の金属原子含有基もしくは二価のメタロイド基である］の化合物を、電荷輸送材料及び／又は吸収体材料として用いる使用。
【請求項２】
Ｍが二価の金属である、請求項１に記載の使用。
【請求項３】
Ｒ1〜Ｒ16基の１〜１０個が、それぞれハロゲンであり、その他が、それぞれ水素である、請求項１又は２に記載の使用。
【請求項４】
Ｒ1〜Ｒ16基の４個が、それぞれハロゲンであり、その他が、それぞれ水素である、請求項１から３までのいずれか１項に記載の使用。
【請求項５】
Ｒ1〜Ｒ16基の８個が、それぞれハロゲンであり、その他が、それぞれ水素である、請求項１から３までのいずれか１項に記載の使用。
【請求項６】
ハロゲンであるＲ1〜Ｒ16基が、全てＦであるか、又は全てＣｌである、請求項１から５までのいずれか１項に記載の使用。
【請求項７】
式Ｉｂ中のＭが、ＣｕもしくはＺｎである、請求項１に記載の使用。
【請求項８】
式Ｉｂ中のＭが二価のハロゲン化金属部、好ましくはＡｌ（ＩＩＩ）ＣｌもしくはＡｌ（ＩＩＩ）Ｆである、請求項１に記載の使用。
【請求項９】
有機光電池における半導体材料として又は有機電界効果トランジスタにおける半導体材料として用いる、請求項１から８までのいずれか１項に記載の使用。
【請求項１０】
有機光電池における電荷輸送材料として用いる、請求項１から８までのいずれか１項で定義される一般式Ｉａ及びＩｂの化合物の使用。
【請求項１１】
有機発光ダイオードにおける電荷輸送材料として用いる、請求項１から８までのいずれか１項で定義される一般式Ｉａ及びＩｂの化合物の使用。
【請求項１２】
電子供与体としての請求項１から８までのいずれか１項で定義される式Ｉａ及び／又はＩｂの少なくとも１種の化合物と、電子受容体としてのフラーレン、フラーレン誘導体及びリレン化合物から選択される化合物との、有機太陽電池における光活性層における使用。
【請求項１３】
式Ｉａ及び／又はＩｂの化合物において、Ｒ1〜Ｒ16基の４個が、それぞれハロゲンであり、その他が、それぞれ水素である、請求項１２に記載の使用。
【請求項１４】
Ｃ６０を電子受容体として使用する、請求項１２又は１３に記載の使用。
【請求項１５】
バルクヘテロ接合の形の供与体−受容体接合を有する有機太陽電池における、請求項１２から１４までのいずれか１項に記載の使用。
【請求項１６】
フラット接合の形の供与体−受容体接合を有する有機太陽電池における、請求項１２から１４までのいずれか１項に記載の使用。
【請求項１７】
少なくとも１つのカソードと、少なくとも１つのアノードと、光活性材料としての請求項１から８までのいずれか１項で定義される式Ｉａ及び／又はＩｂの少なくとも１種の化合物とを有する基板を含む有機太陽電池。
【請求項１８】
式Ｉａ及び／又はＩｂの少なくとも１種の化合物が、少なくとも１種の更なる異なる半導体材料と組み合わせて使用される、請求項１７に記載の有機太陽電池。
【請求項１９】
更なる半導体材料が、少なくとも１種のフラーレン及び／又はフラーレン誘導体、特にＣ６０を含む、請求項１８に記載の有機太陽電池。
【請求項２０】
更なる半導体材料が、少なくとも１種のリレン、特に１，６，７，１２−テトラクロロペリレン−３，４：９，１０−テトラカルボキシイミドを含む、請求項１９に記載の有機太陽電池。
【請求項２１】
式Ｉａ及び／又はＩｂの化合物及び／又は更なる異なる半導体材料が、少なくとも１種のドーパント、特にピロニンＢ、ローダミン、３，６−ジフルオロ−２，５，７，７，８，８−ヘキサシアノキノジメタン及びそれらの組み合わせから選択される少なくとも１種のドーパントと組み合わせて使用される有機太陽電池。
【請求項２２】
有機太陽電池が、タンデム型太陽電池である、請求項１７から２１までのいずれか１項に記載の有機太陽電池。
【請求項２３】
フラット接合の形の少なくとも１つの供与体−受容体接合を有する、請求項２２に記載の有機太陽電池。
【請求項２４】
バルクヘテロ接合の形の少なくとも１つの供与体−受容体接合を有する、請求項２２に記載の有機太陽電池。
【請求項２５】
式Ｉａ及び／又はＩｂの少なくとも１種の化合物と、少なくとも１種のフラーレンもしくはフラーレン誘導体、特にＣ６０を含む、サブセルを含むタンデムセル型の、請求項１７から２４までのいずれか１項に記載の有機太陽電池。
【請求項２６】
少なくとも１つのゲート構造と、ソース電極と、ドレイン電極と、半導体としての請求項１から８までのいずれか１項で定義される式Ｉａ及び／又はＩｂの少なくとも１種の化合物とを有する基板を含む有機電界効果トランジスタ。
【請求項２７】
請求項１から８までのいずれか１項で定義される式Ｉａ及び／又はＩｂの少なくとも１種の化合物をｎ型半導体として含む、請求項２６に記載の電界効果トランジスタ。
【請求項２８】
請求項１から８までのいずれか１項で定義される式Ｉａ及び／又はＩｂの少なくとも１種の化合物をｐ型半導体として含む、請求項２６に記載の電界効果トランジスタ。
【請求項２９】
多数の有機電界効果トランジスタを有する基板であって、該電界効果トランジスタの少なくとも幾つかが、請求項１から８までのいずれか１項で定義される式Ｉａ及び／又はＩｂの少なくとも１種の化合物をｎ型半導体として含む前記基板。
【請求項３０】
請求項２９に定義される少なくとも１つの基板を含む半導体ユニット。
【請求項３１】
請求項１から８までのいずれか１項で定義される式Ｉａ及び／又はＩｂの少なくとも１種の化合物を含むＯＬＥＤ。
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
一般式：
【化１】
2011504241.tif 000001
（式中、Ｚはアミンであり、ｎは反復単位の数である）
により表されるポリ（ジメチルシロキサン）ポリマーを含む剥離油であって、当該剥離油のメタノール溶剤により抽出される部分は、Ａ：Ｂの比が１：５未満であり、マトリックス支援レーザー脱離／イオン化（ＭＡＬＤＩ）分析により求めた場合に分子量分布の１０％未満が当該剥離油の前記溶剤により抽出される部分のｍ／ｚ１０００未満のものである剥離油。
【請求項２】
前記アミンがアミノプロピルを含む、請求項１に記載の剥離油。
【請求項３】
２００〜５００センチストークスの粘度を有する請求項１または２に記載の剥離油。
【請求項４】
前記ポリマーが３，０００またはそれを超える数平均分子量を有する請求項１〜３のいずれか一項に記載の剥離油。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
ディスプレイのピクセルを駆動するためのドライバであって、前記ディスプレイの少なくともエリアで、前記ピクセルが第１のグループ及び第２のグループに分けられ、前記ドライバは第１の駆動信号を第１のグループのピクセルのうちの１つである第１のピクセルに供給し、第２の駆動信号を第２のグループのピクセルのうちの一つである第２のピクセルに供給し、第１及び第２のピクセルは隣接したピクセルであり、前記ドライバは第１の上位の値及び第１の下位の値を生成するための値生成器を有し、第１の上位の値及び第１の下位の値は共に、第１のピクセル・パラメータ値に対応し、前記値生成器は第２の上位の値及び第２の下位の値を更に生成し、第２の上位の値及び第２の下位の値は共に第２のピクセル・パラメータ値に対応し、前記ドライバは、第１の動作モードでは、第１の下位の値で第１のピクセルと第２の上位の値で第２のピクセルとを駆動し、第２の動作モードでは、第１の上位の値で第１のピクセルを駆動し、第２の下位の値で第２のピクセルを駆動する駆動手段を有し、前記ドライバは、前記ディスプレイのフレームレートに実質的に等しいレートで第１の動作モードと第２の動作モードとの間を交番して第１及び第２動作モードを制御するための制御手段を更に有する、ドライバ。
【請求項２】
前記ドライバはビデオ・シーケンスの一連の画像をレンダリングするため、複数のピクセルを駆動し、前記一連の画像の各画像は対応する第１のピクセル・パラメータ値及び対応する第２のピクセル・パラメータ値と関連し、動作モードを制御するための前記制御手段は、前記ドライバが第１の動作モード及び第２の動作モード両方を各画像に適用させるようにする、請求項１に記載のドライバ。
【請求項３】
前記ディスプレイのフレームレートは、ビデオ・シーケンスのフレームレートの略２倍である、請求項２に記載のドライバ。
【請求項４】
動作モードを制御するための前記制御手段は、連続して、第１の動作モードを前記ビデオ・シーケンスの第１の画像に適用し、第２の動作モードを前記ビデオ・シーケンスの第１の画像に適用し、第２の動作モードを前記ビデオ・シーケンスの第２の画像に適用し、第１の動作モードを前記ビデオ・シーケンスの第２の画像に適用し、第１の画像及び第２の画像は前記ビデオ・シーケンスの連続した画像である、請求項２に記載のドライバ。
【請求項５】
ピクセルの少なくとも２つのグループの第１のグループの各ピクセルは実質的に、ピクセルの前記少なくとも２つのグループの他方のグループの少なくとも一つのピクセルと隣接し、実質的に、ピクセルの前記少なくとも２つのグループの第２のグループの各ピクセルは、ピクセルの前記少なくとも２つのグループの他方のグループの少なくとも一つのピクセルと隣接している、請求項１に記載のドライバ。
【請求項６】
水平及び垂直方向に所与のピクセルと隣接するピクセルは、前記所与のピクセルと同じグループにない、請求項５に記載のドライバ。
【請求項７】
水平及び垂直方向の何れか一方向に所与のピクセルと隣接するピクセルは、前記所与のピクセルと同じグループにないが、水平及び垂直方向の他方向に前記所与のピクセルと隣接するピクセルは前記所与のピクセルと同じグループにある、請求項５に記載のドライバ。
【請求項８】
前記値生成器は、第３の上位の値及び第３の下位の値を更に生成し、第３の上位の値及び第３の下位の値は共に第３のピクセルのパラメータ値に対応し、第１のピクセル・パラメータ及び第３のピクセル・パラメータは相互に異なるサブピクセルを表し、前記値生成器は、第４の上位の値及び第４の下位の値を更に生成し、第４の上位の値及び第４の下位の値は共に第４のピクセルのパラメータ値に対応し、第２のピクセル・パラメータ及び第４のピクセル・パラメータは相互に異なるサブピクセルを表す、請求項１に記載のドライバ。
【請求項９】
前記駆動手段が、第１の動作モードで、第１の下位の値及び第３の上位の値で第１のピクセルを駆動し、第２の上位の値及び第４の下位の値で第２のピクセルを駆動し、前記駆動手段は、第２の動作モードで、第１の上位の値及び第３の下位の値で第１のピクセルを駆動し、第２の下位の値及び第４の上位の値で第２のピクセルを駆動する、請求項８に記載のドライバ。
【請求項１０】
前記ディスプレイが、カラーシーケンシャルなディスプレイである、請求項１に記載のドライバ。
【請求項１１】
前記値生成器はピクセルの少なくとも３つのピクセルカラーパラメータに対する上位及び下位の値を生成し、前記駆動手段は連続的に下位のピクセル・カラー・パラメータ値でピクセルを駆動し、連続的に上位のピクセル・カラー・パラメータ値でピクセルを駆動する、請求項１０に記載のドライバ。
【請求項１２】
表示されるべき画像の第１のエリアと表示されるべき前記画像の第２のエリアとを識別するための手段を更に有し、第１のエリアは第２のエリアより多くの画像の詳細を持ち、前記ディスプレイのエリアは前記画像の第１のエリアに対応し、前記ドライバは同相で上位の値及び下位の値で、前記画像の第２のエリアに対応する前記ディスプレイのエリアのピクセルを駆動するための駆動手段を更に有する、請求項１に記載のドライバ。
【請求項１３】
請求項１に記載のドライバとディスプレイとを有する表示デバイス。
【請求項１４】
ディスプレイの少なくともエリアで、ピクセルが第１のグループ及び第２のグループに分けられている前記ディスプレイのピクセルを駆動するための方法であって、第１の駆動信号を第１のグループのピクセルのうちの１つである第１のピクセルに供給し、第２の駆動信号を第２のグループのピクセルのうちの一つである第２のピクセルに供給する供給ステップであって、第１及び第２のピクセルは隣接したピクセルである当該供給ステップと、第１の上位の値及び第１の下位の値を生成する生成ステップであって、第１の上位の値及び第１の下位の値は共に、第１のピクセル・パラメータ値に対応する当該生成ステップと、第２の上位の値及び第２の下位の値を生成する生成ステップであって、第２の上位の値及び第２の下位の値は共に第２のピクセル・パラメータ値に対応する当該生成ステップと、第１の動作モードで、第１の下位の値で第１のピクセルを駆動し、第２の上位の値で第２のピクセルを駆動し、第２の動作モードでは、第１の上位の値で第１のピクセルを駆動し、第２の下位の値で第２のピクセルを駆動する駆動ステップと、前記ディスプレイのフレームレートに実質的に等しいレートで第１の動作モードと第２の動作モードとの間を交番する交番ステップとを有する、方法。
【請求項１５】
請求項１４に記載の方法を実行するためのソフトウェアを有する、ディスプレイ上に画像を表示するためのコンピュータプログラム。